(57)【特許請求の範囲】
【請求項１】
ラックの柱に取付可能なアタッチメントと、
ケーブルを保持可能な保持部を有し、スイッチ装置の側面に取付可能であり前記アタッチメントに係合可能なブラケットとを備え、
前記保持部は、第１側壁、前記第１側壁に連続した低壁、前記低壁に連続し前記第１側壁と対向し前記スイッチ装置の前記側面に当接可能な第２側壁、を含み、
前記ラックに取付けられた前記アタッチメントに前記スイッチ装置に取付けられた前記ブラケットを係合させることにより、前記スイッチ装置は前記ラックに保持され、前記スイッチ装置の前記側面は前記柱に対して前記保持部を介して対向し、前記保持部は前記スイッチ装置の前記側面と前記柱との間に位置する、取付装置。
【請求項２】
前記ブラケットに連結され、前記ケーブルが前記保持部から離脱するのを防ぐカバーを備えている、請求項１の取付装置。
【請求項３】
前記ブラケットは、前記アタッチメントとの固定をロックするロックネジを保持している、請求項１又は２の取付装置。
【請求項４】
前記ブラケットは、係合突起を有し、
前記アタッチメントは、前記係合突起と係合可能な係合溝を有し、
前記係合溝は、前記アタッチメントと前記ブラケットとが前記ロックネジによりロック可能となる位置へと前記係合突起を案内する、請求項３の取付装置。
【請求項５】
前記保持部は、前記スイッチ装置に接続される前記ケーブルを保持可能である、請求項１乃至４の何れかの取付装置。
【発明の詳細な説明】
【技術分野】
【０００１】
本発明は、取付装置に関する。
【背景技術】
【０００２】
サーバが搭載されるラックには、サーバ以外の装置を搭載することができる。特許文献１には、このようなラックに搭載可能なコンソールドロアが開示されている。
【先行技術文献】
【特許文献】
【０００３】
【特許文献１】特開２００９−１０４３９８号公報
【特許文献２】特開平６−１２５１８４号公報
【発明の概要】
【発明が解決しようとする課題】
【０００４】
図１、２は、ラックへのスイッチ装置の従来の搭載方法の説明図である。スイッチ装置１０には複数のポート１４が設けられている。スイッチ装置１０の両側部にそれそれブラケット２０ｘ、３０ｘが固定されている。ブラケット２０ｘ、３０ｘを、ラックを構成する柱１１０、１２０に、ネジＳとナットＮとを用いて固定する。これにより、スイッチ装置１０はラックへ搭載される。しかしながら、スイッチ装置１０に取付けられたブラケット２０ｘ、３０ｘは、ラックの柱１１０、１２０に直接固定される。このため、ラックへのブラケット２０ｘ、３０ｘの固定は、スイッチ装置１０を支えながら、ネジＳとナットＮとを嵌合させる必要がある。このように従来の搭載方法では、複数の作業を同時に行なう必要がある。このため、作業者一人での搭載作業は困難であった。
【０００５】
また、このようなラックに搭載される装置同士はケーブルにより接続される。このため、ケーブルがラックに搭載された装置と干渉する恐れがある。
【０００６】
本発明は、ラックへのスイッチ装置の搭載作業が容易となり、ケーブルを保持可能な取付装置を提供することを目的とする。
【課題を解決するための手段】
【０００７】
上記課題を解決するために、取付装置は、ラックに取付可能なアタッチメントと、ケーブルを保持可能な保持部を有し、スイッチ装置に取付可能であり前記アタッチメントに係合可能なブラケットとを備え、前記ラックに取付けられた前記アタッチメントに前記スイッチ装置に取付けられた前記ブラケットを係合させることにより、前記スイッチ装置は前記ラックに保持される。
【０００８】
アタッチメントとブラケットとの係合させることにより、スイッチ装置をラック装置に保持させることができる。これにより、ネジなどの道具を用いなくてもスイッチ装置をラック装置に搭載でき、ラックへのスイッチ装置の搭載が容易となる。また、ブラケットがケーブルを保持することにより、ケーブルがスイッチ装置又はラックに搭載されたその他の装置と干渉することを防止できる。
【発明の効果】
【０００９】
本発明によれば、ラックへのスイッチ装置の搭載作業が容易となり、ケーブルを保持可能な取付装置を提供できる。
【図面の簡単な説明】
【００１０】
【図１】図１は、ラックへのスイッチ装置の従来の搭載方法の説明図である。
【図２】図２は、ラックへのスイッチ装置の従来の搭載方法の説明図である。
【図３】本実施例の取付装置によりラックへ搭載されたスイッチ装置の説明図である。
【図４】図４は、アタッチメントの説明図である。
【図５】図５は、アタッチメントの説明図である。
【図６】図６は、ブラケットの説明図である。
【図７】図７Ａ、７Ｂは、ブラケットの説明図である。
【図８】図８は、ブラケットの説明図である。
【図９】図９Ａ、９Ｂは、ブラケットとアタッチメントとの係合の説明図である。
【図１０】図１０は、カバーの説明図である。
【図１１】図１１は、カバーの説明図である。
【図１２】図１２は、カバーの説明図である。
【発明を実施するための形態】
【００１１】
図３は、本実施例の取付装置によりラックへ搭載されたスイッチ装置の説明図である。
スイッチ装置１０は、複数のポート１４を有している。ポート１４には、ケーブルを接続可能である。スイッチ装置１０は、コンソールドロワ７０により操作される対象（サーバ装置）を切り替える機能を有している。ラックは、柱１１０、１２０、１３０と、もう一つの不図示の柱により構成される。柱１１０、１２０、１３０には、それぞれ縦方向に複数の孔が並んでいる。この孔は、ラックへ装置を搭載するために用いられるものである。
【００１２】
図３においては、ラックにコンソールドロア７０が搭載されている。コンソールドロア７０は、不図示のキーボード、マウス、モニタを一体化した引出し式のコンソールユニットであり、ラックに搭載されたサーバ装置を操作するためのものである。コンソールドロア７０は、ガイドレール８０、９０を介してラックに搭載されている。コンソールドロア７０は、ガイドレール８０、９０にスライド可能に係合して保持されている。
【００１３】
コンソールドロア７０の背面側には複数のケーブル群Ｃが接続されている。ケーブル群Ｃは、スイッチ装置１０のポート１４に接続可能である。また、コンソールドロア７０の背面側には、ケーブル群Ｃを保持するためのキャリア７５が連結されている。キャリア７５は、コンソールドロア７０の移動に応じて伸縮可能である。コンソールドロア７０は、スイッチ装置１０と同じ高さ位置に搭載されている。スイッチ装置１０は、コンソールドロア７０の背面側に搭載されている。スイッチ装置１０は、ブラケット２０、３０、アタッチメント４０、５０により、柱１１０、１２０に固定されている。ブラケット２０、３０、アタッチメント４０、５０は、それぞれ金属製である。カバー６０は、ケーブル群Ｃを覆っている。
【００１４】
アタッチメント４０について説明する。
図４、５は、アタッチメント４０の説明図である。図４に示すように、アタッチメント４０は、ガイドレール８０と柱１１０との間に挟みこまれて柱１１０に取付けられている。ガイドレール８０の先端には２つの嵌合ピン８３が形成されている。アタッチメント４０の正面壁４１には、２つの嵌合孔４３が形成されている。嵌合ピン８３が、嵌合孔４３を貫通して柱１１０の孔に挿入されることにより、アタッチメント４０は柱１１０に取付けられる。
【００１５】
図５に示すように、アタッチメント４０は、正面壁４１、正面壁４１の側端部から連続して正面壁４１に略直交しスイッチ装置１０のラックの奥行方向に延びた側壁４４、を含む。正面壁４１の嵌合孔４３の間には、ネジ孔４２が設けられている。ネジ孔４２については後述する。側壁４４の略中央部には、ラックの奥行方向に延びた係合溝４５が形成されている。側壁４４の上端部及び下端部のそれぞれには挟持壁４８が連続している。２つの挟持壁４８は、ガイドレール８０を挟む。尚、アタッチメント５０はアタッチメント４０と略同様の構造であるが、アタッチメント４０、５０は互いに逆向きの状態で、それぞれガイドレール８０、９０により柱１１０、１２０に取付けられる。
【００１６】
ブラケット２０、３０について説明する。
図６、７Ａ、７Ｂ、８は、ブラケット２０、３０の説明図である。図６に示すように、ブラケット２０、３０は、それぞれスイッチ装置１０の右側面、左側面に、複数のネジｓにより取付けられる。図７Ａ、７Ｂに示すように、ブラケット２０は、正面壁２１、側壁２４、低壁２６、基端壁２９を含む。側壁２４は、正面壁２１の側端部に連続し正面壁２１に略直交しておりラックの奥行方向に延在している。低壁２６は、側壁２４の下端部に連続して水平面と略平行である。側壁２７は、低壁２６の側端部から連続し側壁２４と略平行である。側壁２７は、側壁２４よりも長く形成されている。側壁２７は、スイッチ装置１０の右側面に当接する。基端壁２９は、側壁２７の基端部に連続して側壁２７に略直交している。
【００１７】
正面壁２１には、ガイドレール８０の嵌合ピン８３が挿入される嵌合孔２３が形成されている。嵌合孔２３の間には、ロックネジ２２が保持されている。ロックネジ２２は、正面壁２１に回転可能に保持されている。また、図７Ａに示すように、側壁２４の略中央部には係合突起２５が設けられている。係合突起２５は、スイッチ装置１０の反対側に突出している。また、図７Ａに示すように、側壁２４、２７の上端部にはそれぞれ切欠溝２８が形成されている。切欠溝２８は、カバー６０と係合可能である。基端壁２９は、スイッチ装置１０にブラケット２０を取付けた際にスイッチ装置１０の背面を押えるものである。
【００１８】
図７Ｂに示すように、スイッチ装置１０を正面から見た場合、側壁２４、低壁２６、側壁２７は、略Ｕ字状となる。この側壁２４、低壁２６、側壁２７により画定された空間内にケーブル群Ｃが保持される。従って、側壁２４、低壁２６、側壁２７は、ケーブル群Ｃを保持する保持部として機能する。
【００１９】
図８に示すように、ブラケット３０は、正面壁３１、側壁３４を含む。側壁３４は、正面壁３１の側端部に連続し正面壁３１に略直交するように延在している。側壁３４は、水平方向に延在している。側壁３４の略中央部には係合突起３５が設けられている。係合突起３５は、スイッチ装置１０とは反対側に突出している。ブラケット３０は、ケーブル群Ｃを保持する機能は有しいてない。
【００２０】
ブラケット２０とアタッチメント４０との係合について説明する。
図９Ａ、９Ｂは、ブラケット２０とアタッチメント４０との係合の説明図である。尚、図９Ａにおいては、理解を容易にするためにアタッチメント４０の断面を示している。予め柱１１０、１２０にそれぞれアタッチメント４０、５０を取付け、スイッチ装置１０にブラケット２０、３０を取付けておく。この状態で、係合突起２５と係合溝４５と係合させ、係合突起３５とアタッチメント５０の係合溝とを係合させる。この係合により、スイッチ装置１０は、ブラケット２０、３０、アタッチメント４０、５０により柱１１０、１２０に保持される。更に、スイッチ装置１０をラックの奥へと挿入することにより、係合突起２５は、係合溝４５の一端側から他端側へと案内される。同様に、係合突起３５は、アタッチメント５０の係合溝の一端側から他端側へと案内される。スイッチ装置１０がラックの奥へと挿入されると、ブラケット２０の正面壁２１とアタッチメント４０の正面壁４１とは対向し、ブラケット３０の正面壁３１とアタッチメント５０の正面壁とは対向する。この状態で、ロックネジ２２、３２を回転させると、ロックネジ２２は正面壁４１に形成されたネジ孔４２に螺合し、同様にロックネジ３２は、アタッチメント５０のネジ孔に螺合する。
【００２１】
これにより、ブラケット２０とアタッチメント４０との係合と、ブラケット３０とアタッチメント５０との係合がロックされる。よって、スイッチ装置１０はラックへ搭載される。このように係合溝４５は、ブラケット２０とアタッチメント４０とがロック可能な位置へブラケット２０を案内する機能を有している。同様に、アタッチメント５０の係合溝は、ブラケット３０とアタッチメント５０とがロック可能な位置へブラケット３０を案内する機能を有している。
【００２２】
以上のように、作業者は、柱１１０、１２０のそれぞれに取付けられたアタッチメント４０、５０と、スイッチ装置１０に取付けられたブラケット２０、３０とを係合させることにより、スイッチ装置１０をラックに一時的に保持させることができる。その後、スイッチ装置１０をラックの奥へと挿入させ、ロックネジ２２、３２を回転させることによりスイッチ装置１０のラックへの搭載を完了させることができる。このように、上記作業は、同時に行われるものではなく順番に行われるものである。このため、作業者が一人の場合であっても容易にスイッチ装置１０をラックへ搭載することができる。
【００２３】
カバー６０について説明する。
図１０、１１、１２は、カバー６０の説明図である。図１０は、ラックへスイッチ装置１０が搭載された直後の状態を示している。この状態で、図１１に示すように、ケーブル群Ｃの上部を覆うようにして、カバー６０の基端側をブラケット２０の切欠溝２８に係合させる。そして、カバー６０の基端側を支点として先端側がケーブル群Ｃ向かうように回転させることにより、図１２に示すようにカバー６０はケーブル群Ｃを覆う。これにより、ケーブル群Ｃは、カバー６０、側壁２４、低壁２６、側壁２７とにより画定される空間内に収納される。従って、ケーブル群Ｃは、この空間から離脱することが防止される。よって、ケーブル群Ｃがスイッチ装置１０やラックに搭載された他の装置に干渉することが防止できる。
【００２４】
以上本発明の好ましい実施例について詳述したが、本発明は係る特定の実施例に限定されるものではなく、特許請求の範囲に記載された本発明の要旨の範囲内において、種々の変形・変更が可能である。
【符号の説明】
【００２５】
１０  スイッチ装置
２０、３０  ブラケット
２１、３１、４１正面壁
２２、３２  ロックネジ
２３、３３嵌合孔
２４、２７、３４、４４  側壁
２５、３５  係合突起
２６  低壁
２８  切欠溝
２９  基端壁
４０、５０  アタッチメント
４５  係合溝
４８  挟持壁
６０  カバー
７０  コンソールドロア
７５  キャリア
８０、９０  ガイドレール
８３  嵌合ピン
１１０、１２０、１３０  柱
【図１】
0005574850.tif 000002
【図２】
0005574850.tif 000003
【図３】
0005574850.tif 000004
【図４】
0005574850.tif 000005
【図５】
0005574850.tif 000006
【図６】
0005574850.tif 000007
【図７】
0005574850.tif 000008
【図８】
0005574850.tif 000009
【図９】
0005574850.tif 000010
【図１０】
0005574850.tif 000011
【図１１】
0005574850.tif 000012
【図１２】
0005574850.tif 000013